(57)【要約】【課題】  使用者の年齢に応じて再生部により再生する情報を制御することができる再生装置を提供する。【解決手段】  情報を再生する再生部６，１２と、被写体を撮像し画像信号を出力する撮像部１０と、前記撮像部１０から出力された前記画像信号に基づいて、人物の顔画像を検出する検出部３８と、前記検出部３８により検出された前記人物の顔画像に基づいて、前記人物の年齢を推定する年齢推定部４０と、前記年齢推定部４０により推定された前記年齢に基づいて、前記再生部６，１２による情報の再生を制御する再生制御部３０とを備える。【選択図】  図２
2011228878.tif 000002
【特許請求の範囲】
【請求項１】
情報を再生する再生部と、
被写体を撮像し画像信号を出力する撮像部と、
前記撮像部から出力された前記画像信号に基づいて、人物の顔画像を検出する検出部と、
前記検出部により検出された前記人物の顔画像に基づいて、前記人物の年齢を推定する年齢推定部と、
前記年齢推定部により推定された前記年齢に基づいて、前記再生部による情報の再生を制御する再生制御部と、
を備えることを特徴とする再生装置。
【請求項２】
前記年齢推定部により推定された前記人物の年齢が第１所定年齢以下であるか否かを判定する第１判別部と、
前記第１所定年齢以下の人物が泣いているか否かを判別する第２判別部を備え、
前記再生制御部は、前記第２判別部による判別結果に基づいて、前記再生部による情報の再生を制御することを特徴とする請求項１記載の再生装置。
【請求項３】
前記第２判別部による判別結果に基いて、前記人物が泣き始めてから泣き終わるまでの時間を計測する計測部と、
前記計測部による計測結果に基づいて、前記再生装置への電力供給を制御する電力供給制御部と、
を備えることを特徴とする請求項２記載の再生装置。
【請求項４】
前記電力供給制御部は、前記年齢推定部により前記人物の年齢が第２所定年齢以下であると推定された場合には、前記再生装置への電力供給を停止することを特徴とする請求項３記載の再生装置。
【請求項５】
前記第２判別部による判別結果に基いて、前記人物が泣き始めてから泣き終わるまでの時間を計測する計測部と、
前記計測部による計測結果に基づいて、前記再生部により再生された情報を評価する評価部と、
前記評価部による評価結果に基いて、前記再生部により再生された情報に関するランキング情報を生成する生成部と、
前記生成部により生成された前記ランキング情報と前記再生部により再生された情報とを関連付けて管理する管理部と、を備え、
前記再生制御部は、前記管理部により管理されたランキング情報に基づいて、前記再生部による情報の再生を制御することを特徴とする請求項２記載の再生装置。
【請求項６】
前記第２判別部による判別結果に基いて、前記人物が泣き始めてから泣き終わるまでの時間を計測する計測部と、
前記計測部による計測結果に基づいて、前記再生部により再生された情報を評価する評価部と、
前記評価部による評価結果に基いて、前記再生部により再生された情報に関するランキング情報を生成する生成部と、
前記生成部により生成された前記ランキング情報をサーバに対して送信する送信部と、
前記サーバにより管理されているランキングに基づいて前記サーバから送信される前記再生部に再生可能な情報を受信する受信部と、を備え、
前記再生制御部は、前記受信部により受信した情報を前記再生部に再生させることを特徴とする請求項２記載の再生装置。
【請求項７】
前記第２判別部による判別結果に基いて、前記人物が泣き始めてから泣き終わるまでの時間を計測する計測部と、
前記計測部による計測結果に基づいて、前記再生部により再生された情報を評価する評価部と、
前記評価部による評価結果をサーバに対して送信する送信部と、
前記サーバにより前記評価結果に基づいて管理されているランキングに基づいて前記サーバから送信される前記再生部に再生可能な情報を受信する受信部と、を備え、
前記再生制御部は、前記受信部により受信した情報を前記再生部に再生させることを特徴とする請求項２記載の再生装置。
【請求項８】
前記第２判別部による判別結果に基いて、前記人物が泣き始めてから泣き終わるまでの時間を計測する計測部と、
前記計測部による計測結果をサーバに対して送信する送信部と、
前記サーバにより前記計測結果に基づいて管理されているランキングに基づいて前記サーバから送信される前記再生部に再生可能な情報を受信する受信部と、を備え、
前記再生制御部は、前記受信部により受信した情報を前記再生部に再生させることを特徴とする請求項２記載の再生装置。
【請求項９】
前記ランキングの高さは、前記計測部により計測される前記時間の長さに基づいて、決定されることを特徴とする請求項６〜請求項８の何れか一項に記載の再生装置。
【請求項１０】
第１所定年齢以下の人物の顔画像を含む人物情報を記録媒体に記録させる記録制御部と、
前記検出部により検出された前記人物の顔画像と前記記録媒体に記録されている人物の顔画像との類似度を判定する類似度判定部と、
前記類似度判別部により判定された前記類似度が所定値以上か否かを判別する第３判別部と、
前記第３判別部により前記類似度が所定値以上であると判別された場合の前記記録媒体に記録されている前記顔画像を前記検出部により検出された前記顔画像に更新する更新部と、
を備えることを特徴とする請求項１〜請求項９の何れか一項に記載の再生装置。
【請求項１１】
前記更新部により更新された更新日時を記録媒体に記録する更新日時記録制御部を備え、
前記更新部は、前記記録媒体に記録されている前記更新日時から所定時間以上経過しているとき、前記顔画像の更新を行うことを特徴とする請求項１０記載の再生装置。
【請求項１２】
前記人物情報は、前記人物の前記ランキング情報及び前記人物の前記ランキング管理結果を含むことを特徴とする請求項８または請求項９記載の再生装置。
【発明の詳細な説明】
【技術分野】
【０００１】
本発明は、ユーザーの年齢を推定し、推定結果により情報の再生制御を行う再生装置に関するものである。
【背景技術】
【０００２】
予め使用者の顔を登録しておき、撮影部が、画像表示部に画像を表示する際に画像表示部の正面方向を撮影し、使用者の顔が撮影された場合において、顔判断部が、撮影された使用者の顔と予め登録されている使用者の顔とが一致するか否かを判断し、一致する場合において、認識情報取得部が、登録されている使用者毎に且つメモリに記憶されている画像毎に使用者が画像を認識した回数、時間を認識情報として取得し、優先順位決定部が、認識情報に基づいて登録されている使用者毎に画像の優先順位を決定し、表示制御部が、画像の優先順位に基づいて、使用者毎に応じた画像を画像表示部に表示させる画像表示装置が提案されている（例えば、特許文献１参照）。
【先行技術文献】
【特許文献】
【０００３】
【特許文献１】特開２００８−１６５００９号公報
【発明の概要】
【発明が解決しようとする課題】
【０００４】
ところで、上述の特許文献１記載の画像表示装置では、登録されている使用者の顔と撮影される使用者の顔が一致するか否かを判断しているが、使用者の年齢に応じて、再生内容を制御していない。
【０００５】
本発明の目的は、使用者の年齢に応じて再生部により再生する情報を制御することができる再生装置を提供することである。
【課題を解決するための手段】
【０００６】
本発明の再生装置は、情報を再生する再生部と、被写体を撮像し画像信号を出力する撮像部と、前記撮像部から出力された前記画像信号に基づいて、人物の顔画像を検出する検出部と、前記検出部により検出された前記人物の顔画像に基づいて、前記人物の年齢を推定する年齢推定部と、前記年齢推定部により推定された前記年齢に基づいて、前記再生部による情報の再生を制御する再生制御部とを備えることを特徴とする。
【発明の効果】
【０００７】
本発明の再生装置によれば、使用者の年齢に応じて再生部により再生する情報を制御することができる。
【図面の簡単な説明】
【０００８】
【図１】実施の形態に係るデジタルフォトフレームの外観を示す斜視図である。
【図２】実施の形態に係るデジタルフォトフレームのシステム構成を示すブロック図である。
【図３】関連情報記録部に記録されているテーブルを示す図である。
【図４】登録情報記録部に記録されているテーブルを示す図である。
【図５】実施の形態に係るデジタルフォトフレームにおいてＬＣＤパネルに表示させる画像を制御する際の処理について説明するためのフローチャートである。
【図６】登録情報の更新処理について説明するためのフローチャートである。
【図７】鑑賞者が泣いていると判別され、ＬＣＤパネルに画像を表示した後、且つＤＰＦ２の電源がオフされたか否かの判別の前に実行される処理について説明するためのフローチャートである。
【図８】鑑賞者が泣いていると判別され、ＬＣＤパネルに画像を表示した後、且つＤＰＦ２の電源がオフされたか否かの判別の前に実行される他の処理について説明するためのフローチャートである。
【図９】関連情報記録部に記録されている他のテーブルを示す図である。
【図１０】鑑賞者が泣いていると判別され、ＬＣＤパネルに画像を表示した後、且つＤＰＦ２の電源がオフされたか否かの判別の前に実行される他の処理について説明するためのフローチャートである。
【発明を実施するための形態】
【０００９】
以下、図面を参照して、本発明の実施の形態に係る再生装置としてのデジタルフォトフレーム（以下、ＤＰＦという。）について説明する。なお、一般に、ＤＰＦとしては机等の上に立て掛けて設置するものや、壁に掛けて設置するもの等が存在するが、本発明の実施の形態としては、机等に立て掛けて設置するもの（電子写真立て）を例にして説明する。図１は、この実施の形態に係るＤＰＦの外観を示す斜視図である。ＤＰＦ２は、ガラスやプラスチック等からなる装置本体４を備え、装置本体４の前面には、鑑賞用画像、ユーザーの動画メッセージ、時刻等の情報を電気的に表示するＬＣＤパネル６が設けられている。また、装置本体４の前面には、ユーザーの音声等が入力されるマイク８、ＤＰＦ２の前面方向の被写体等を撮像し画像信号を出力するカメラ１０、及び音楽や音声等が出力されるスピーカ１２が設けられている。
【００１０】
また、装置本体４の上面には、ＤＰＦ２の電源のオン・オフ状態を切り替える電源スイッチ１４、及びＤＰＦ２の機能設定やＬＣＤパネル６の表示設定の際に使用する操作キー１６が設けられている。また、装置本体４の一方の側面には、鑑賞用画像や音声等のデータが記録されたメモリカードが挿入されるメモリカードスロット１８、ＵＳＢ機器が接続されるＵＳＢポート２０、及びインターネット等のネットワークに接続するために用いられるネットワーク端子２２が設けられている。
【００１１】
図２は、この実施の形態に係るＤＰＦ２のシステム構成を示すブロック図である。図２に示すように、ＤＰＦ２の各部を統括的に制御するＣＰＵ３０は、電力供給制御部３２、登録情報更新部３４、類似度判定部３６、顔画像検出部３８、年齢推定部４０、泣き声判定部４２、及びネットワーク接続部４４を備えて構成されている。電力供給制御部３２は、ユーザーにより電源スイッチ１４が操作されることによりＤＰＦ２の電源オン・オフの切替制御を行い、かつ電源スイッチ１４の操作の有無に関係なく、後述する時間部５６による計測結果に基づいてＤＰＦ２への電力供給を制御する。
【００１２】
登録情報更新部３４は、内部メモリ４６及び上述のカメラ１０に接続されており、内部メモリ４６内の登録情報記録部５４に記録されている登録情報（後述する）の更新を制御する。
【００１３】
内部メモリ４６は、画像記録部４８、音声記録部５０、関連情報記録部５２、登録情報記録部５４を備えて構成されている。画像記録部４８にはＬＣＤパネル６に表示される画像の画像データが記録されており、音声記録部５０にはスピーカ１２から出力される音声の音声データや音楽の音楽データが記録されている。
【００１４】
関連情報記録部５２には、ＬＣＤパネル６に表示される画像を鑑賞する鑑賞者の年齢等に基づいて、画像記録部４８に記録されている画像データ等が、「子供用」「泣く子供用」「大人用」に分類され、テーブル形式で記録されている。図３は、関連情報記録部５２に記録されているテーブルを示す図である。図３に示すように、関連情報記録部５２には、ファイル１．ｊｐｇ、ファイル２．ｊｐｇ、ファイル３．ｊｐｇ、フォルダ１、フォルダ２、フォルダ３等のファイルやフォルダが「子供用」に分類され、ファイルα．ｂｍｐ、ファイルβ．ｂｍｐ、ファイルγ．ｂｍｐ、フォルダα、フォルダβ、フォルダγ等のファイルやフォルダが「泣く子供用」に分類され、ファイルＡ．ｊｐｇ、ファイルＢ．ｊｐｇ、ファイルＣ．ｊｐｇ、フォルダＡ、フォルダＢ、フォルダＣ等のファイルやフォルダが「大人用」に分類され、記録されている。例えば、アニメ等の子供の好む画像は「子供用」や「泣く子供用」に分類され、泣いている子供が鑑賞すると泣き止むことが予想される画像は「泣く子供用」に分類される。なお、関連情報記録部５２に記録されているファイルは、ＬＣＤパネル６に１つの画像を表示させる際の該画像の画像データのファイルであり、関連情報記録部５２に記録されているフォルダは、ＬＣＤパネル６にスライドショーで複数の画像を表示させる際の該複数の画像の画像データを格納するフォルダである。また、関連情報記録部５２には、音声記録部５０に記録されている音声データや音楽データ等も、「子供用」「泣く子供用」「大人用」に分類され、テーブル形式で記録されている。
【００１５】
登録情報記録部５４には、ＤＰＦ２のユーザーであって、所定年齢以下（例えば、１８歳以下等、所謂子供に分類される年齢以下）のユーザーの名前、顔画像、年齢、及び更新日時等を含むユーザー情報が登録情報としてテーブル形式で記録されている。図４は、登録情報記録部５４に記録されているテーブルを示す図である。図４に示すように、登録情報記録部５４には、ユーザーの名前「太郎」、太郎の顔画像「ｔａｒｏ．ｊｐｇ」、太郎の年齢「６」及び更新日時（または登録日時）「２００９／１１／１５  １５：４５」を含む太郎のユーザー情報が登録情報として記録されている。同様に、ユーザーの名前「花子」や「貞子」を含む花子や貞子のユーザー情報が登録情報として記録されている。これらのユーザー情報はユーザーにより操作キー１６等を介して入力され、ＣＰＵ３０は入力されたユーザー情報を登録情報として登録情報記録部５４に記録させる。このとき、カメラ１０により撮像された画像または画像記録部４８やメモリカード（メモリカードスロット１８に挿入されたメモリカード、図示せず）に記録されている画像をユーザーの顔画像として記録させる。
【００１６】
また、ユーザーにより年齢が入力され、記録されると、登録情報更新部３４は、後述する時計部５６から時刻や日付を取得し、ユーザーの年齢を管理し、登録情報記録部５４に記録されているユーザーの年齢の更新を行う。また、ユーザーの年齢が所定年齢に達したとき、登録情報更新部３４は、そのユーザーの登録情報の削除処理または他の登録情報との分離処理を実行する。なお、他の登録情報との分離については、後述する。また、この実施の形態では、年齢を入力し、記録しているが、生年月日を入力し、年齢を記録する構成にしてもよく、生年月日を入力し、記録する構成にしてもよい。また、更新日時は、最初に記録されたときの日時である登録日時、または、後にユーザーの顔画像が更新されたときの日時である更新日時のことであり、登録情報更新部３４は、古い更新日時から新しい更新日時へ書き換え、記録する。ユーザーの顔画像の更新については、後述する。
【００１７】
類似度判定部３６は、内部メモリ４６及び顔画像検出部３８に接続されており、内部メモリ４６内の登録情報記録部５４に記録されているユーザーの顔画像と、カメラ１０により撮像され顔画像検出部３８により検出されるユーザーの顔画像との類似度を判定する。顔画像検出部３８は、カメラ１０に接続されており、カメラ１０から出力された画像信号に基づいてユーザーの顔画像を検出する。例えば、公知の顔認識機能を用いて、カメラ１０により撮像される画像から人物の顔を認識し、顔画像を検出する。年齢推定部４０は、顔画像検出部３８に接続されており、公知の年齢推定機能を用いて、顔画像検出部３８により検出されたユーザーの顔画像に基づいてユーザーの年齢を推定する。泣き声判定部４２は、マイク８に接続されており、マイク８から出力された音声信号に基づいて、音声に泣き声が含まれているか否かを判定する。
【００１８】
ネットワーク接続部４４は、ネットワーク端子２２に接続されており、ネットワーク端子２２及びネットワークを介して接続されている外部装置等から送信される種々の情報を受信し、かつ該外部装置等に対して種々の情報を送信する。なお、この実施の形態では、ＤＰＦ２にはネットワーク端子２２を介してインターネット６２が接続されており、インターネット６２にはサーバ６４が接続されているものとし、ネットワーク接続部４４は、サーバ６４から送信される種々の情報を受信し、かつサーバ６４に対して種々の情報を送信するものとする。
【００１９】
また、図２に示すように、ＣＰＵ３０には、上述の操作キー２２、メモリカードスロット１８、及びＵＳＢポート２０が接続されている。また、ＣＰＵ３０には、時計部５６、表示制御部５８、及び再生制御部６０が接続されている。時計部５６は、時刻及び日付の管理を行う。表示制御部５８は、ＬＣＤパネル６に表示される画像等の表示制御を行い、再生制御部６０は、スピーカ１２から出力される音楽や音声の再生制御を行う。
【００２０】
この実施の形態に係るＤＰＦ２では、ＤＰＦ２の前面方向をカメラ１０により撮像し、カメラ１０の撮像結果に基づいて顔画像検出部３８によりユーザーの顔画像を検出し、顔画像検出部３８による検出結果に基づいて年齢推定部４０によりユーザーの年齢を推定し、年齢推定部４０による推定結果に基づいてＬＣＤパネル６に表示させる画像及びスピーカ１２に再生させる音声や音楽を制御する。以下、図５に示すフローチャートを参照して、この実施の形態に係るＤＰＦ２においてＬＣＤパネル６に表示させる画像を制御する際の処理について説明する。
【００２１】
まず、ＣＰＵ３０は、ユーザーにより電源スイッチ１４が押下されることにより、電力供給制御部３２においてＤＰＦ２の電源をオンしたか否かを判別する（ステップＳ１０）。ステップＳ１０においてＤＰＦ２の電源をオンした場合には（ステップＳ１０、Ｙｅｓ）、ＣＰＵ３０は、カメラ１０にＤＰＦ２の前面方向を撮像させる（ステップＳ１１）。
【００２２】
次に、ＣＰＵ３０は、顔画像検出部３８において、ステップＳ１１でカメラ１０に撮像させた画像の中から顔画像の検出を実行し、少なくとも１つの顔画像を検出することができたか否かを判別する（ステップＳ１２）。ステップＳ１２において少なくとも１つの顔画像を検出した場合には（ステップＳ１２、Ｙｅｓ）、ＣＰＵ３０は、ＤＰＦ２の鑑賞者が少なくとも１人存在すると判断し、まず、登録情報記録部５４に記録されている登録者の顔画像（図４に示すｔａｒｏ．ｊｐｇ、ｈａｎａｋｏ．ｊｐｇ、ｓａｄａｋｏ．ｊｐｇ）を読み込む。このとき、登録者の年齢が所定年齢（例えば１８歳以上等、所謂大人に分類される年齢）に達しており、他の登録者の登録情報と分離して登録されている登録情報下の顔画像については読み込まれない。即ち、所定年齢以下の登録者の顔画像を読み込む。
【００２３】
そして、ＣＰＵ３０は、類似度判定部３６において、顔画像検出部３８により検出された鑑賞者の顔画像と、登録情報記録部５４に記録されている登録者の顔画像との類似度を求め、求めた類似度が所定値以上であるか否かを判別する（ステップＳ１３）。なお、所定値は予め設定されており、類似度が所定値以上である場合には（ステップＳ１３、Ｙｅｓ）、ＣＰＵ３０は、ＤＰＦ２の前方に位置する鑑賞者が登録情報記録部５４に記録されている登録者の一人であると判断する。一方、類似度が所定値より小さい場合には（ステップＳ１３、Ｎｏ）、ＣＰＵ３０は、鑑賞者が登録情報記録部５４に記録されている登録者の誰にも該当しないと判断する。
【００２４】
ステップＳ１３において類似度が所定値以上であると判別された場合には（ステップＳ１３、Ｙｅｓ）、ＣＰＵ３０は、登録情報の更新処理を実行する（ステップＳ１４）。図６は、図５のステップＳ１４における更新処理について説明するためのフローチャートである。
【００２５】
まず、ＣＰＵ３０は、登録情報記録部５４に記録されている鑑賞者の登録情報の更新日時、及び時計部５６から現在日時を取得し、取得した更新日時と現在日時とを比較することにより、更新日時から所定時間以上経過しているか否かを判別する（ステップＳ３０）。なお、所定時間は予め設定されており、例えば３ヶ月等、登録者である子供の顔が成長することにより大幅に変化する前に顔画像を更新可能な期間に設定される。
【００２６】
ステップＳ３０において更新日時から所定時間以上経過していると判別された場合には（ステップＳ３０、Ｙｅｓ）、ＣＰＵ３０は、登録情報更新部３４において、登録情報記録部５４に記録されている鑑賞者の顔画像を、顔画像検出部３８により検出された鑑賞者の顔画像に更新する（ステップＳ３１）。そして、ＣＰＵ３０は、登録情報更新部３４において、登録情報記録部５４に記録されている鑑賞者の顔画像の更新日時を、時計部５６から取得した現在日時に書き換えることにより、古い更新日時を新しい更新日時に更新する（ステップＳ３２）。一方、ステップＳ３０において更新日時から所定時間以上経過していないと判別された場合には（ステップＳ３０、Ｎｏ）、ＣＰＵ３０は、鑑賞者の顔画像の更新を行う必要がないと判断し、図５のステップＳ１４における更新処理を終了する。
【００２７】
一方、図５のステップＳ１３において類似度が所定値より小さいと判別された場合には（ステップＳ１３、Ｎｏ）、ＣＰＵ３０は、年齢推定部４０において、顔画像検出部３８により検出された鑑賞者の顔画像に基づいて鑑賞者の年齢を推定する（ステップＳ１５）。そして、ＣＰＵ３０は、年齢推定部４０において推定された鑑賞者の年齢が所定年齢以下であるか否かを判別する（ステップＳ１６）。なお、所定年齢は、予め設定されており、上述したように例えば１８歳以下等、所謂子供に分類される年齢に設定される。
【００２８】
ステップＳ１６において鑑賞者の年齢が所定年齢より上であると判別された場合（ステップＳ１６、Ｎｏ）、またはステップＳ１２において顔画像検出部３８により顔画像を検出していないと判別された場合（ステップＳ１２、Ｎｏ）には、ＣＰＵ３０は、関連情報記録部５２から「大人用」に分類されている画像ファイルまたはフォルダ（図３参照）を読込み、読み込んだ画像ファイルまたはフォルダ内の画像ファイルに基づく画像（大人用画像）を、表示制御部５８を介してＬＣＤパネル６に再生表示する（ステップＳ１７）。このとき、ユーザーの再生設定に従い、１つの画像ファイルに基づく１枚の画像の表示、またはフォルダ内の複数の画像ファイルに基づく複数の画像のスライドショー形式での表示を行う。
【００２９】
一方、ステップＳ１６において鑑賞者の年齢が所定年齢以下であると判別された場合（ステップＳ１６、Ｙｅｓ）、またはステップＳ１４において更新処理を終えた後、ＣＰＵ３０は、泣き声判定部４２において、マイク８から入力される音声を取得し、取得した音声に基づいて泣き声判定を行い、判定結果に基づいて鑑賞者が泣いているか否かを判別する（ステップＳ１８）。ステップＳ１８において鑑賞者が泣いていると判別された場合には（ステップＳ１８、Ｙｅｓ）、ＣＰＵ３０は、関連情報記録部５２から「泣く子供用」に分類されている画像ファイルまたはフォルダ（図３参照）を読込み、読み込んだ画像ファイルまたはフォルダ内の画像ファイルに基づく画像（泣く子供用画像）を、表示制御部５８を介してＬＣＤパネル６に再生表示する（ステップＳ１９）。このとき、ステップＳ１７の処理と同様に、ユーザーの再生設定に従い、１枚の画像の表示またはスライドショー形式での複数の画像の表示を行う。
【００３０】
一方、ステップＳ１８において鑑賞者が泣いていないと判別された場合には（ステップＳ１８、Ｎｏ）、ＣＰＵ３０は、関連情報記録部５２から「子供用」に分類されている画像ファイルまたはフォルダ（図３参照）を読込み、読み込んだ画像ファイルまたはフォルダ内の画像ファイルに基づく画像（子供用画像）を、表示制御部５８を介してＬＣＤパネル６に再生表示する（ステップＳ２０）。このとき、ステップＳ１７及びＳ１９の処理と同様に、ユーザーの再生設定に従い、１枚の画像の表示またはスライドショー形式での複数の画像の表示を行う。
【００３１】
次に、ＣＰＵ３０は、ユーザーにより電源スイッチ１４が押下されることにより、電力供給制御部３２においてＤＰＦ２の電源をオフしたか否かを判別する（ステップＳ２１）。ステップＳ２１においてＤＰＦ２の電源をオフしていない場合には（ステップＳ２１、Ｎｏ）、ＣＰＵ３０は、ステップＳ１１の処理に戻り、ステップＳ２１においてＤＰＦ２の電源をオフしたと判別するまで（ステップＳ２１、Ｙｅｓ）、ステップＳ１１〜Ｓ２１の処理を繰り返す。
【００３２】
なお、図５のステップＳ１８において鑑賞者が泣いていると判別された場合において（ステップＳ１８、Ｙｅｓ）、鑑賞者が泣き続けている時間、即ち鑑賞者が泣き始めてから泣き終わるまでの時間を計測し、計測結果に基づいてＬＣＤパネル６による画像の表示を制御することもできる。以下、図７に示すフローチャートを参照して、図５のステップＳ１８において鑑賞者が泣いていると判別され、ステップＳ１９において泣く子供用画像を表示した後、且つステップＳ２１においてＤＰＦ２の電源がオフされたか否かの判別の前に実行される処理について説明する。
【００３３】
まず、ＣＰＵ３０は、鑑賞者が泣き始めてから泣き終わるまでの時間の計測を開始する（ステップＳ４０）。具体的には、図５のステップＳ１８において鑑賞者が泣いていると判別された際に、時計部５６から現在日時を取得し、取得した日時を図示しないバッファメモリ等に一時的に記憶させる。そして、ＣＰＵ３０は、再度、泣き声判定部４２において、マイク８から入力される音声を取得し、取得した音声に基づいて鑑賞者がまだ泣いているか否かを判別する（ステップＳ４１）。ステップＳ４１において鑑賞者がまだ泣いていると判別された場合には（ステップＳ４１、Ｙｅｓ）、ＣＰＵ３０は、時計部５６から現在日時を取得し、取得した現在日時に基づいて、鑑賞者が泣き始めた時間（バッファメモリ等に一時的に記憶されている日時）から所定時間経過したか否かを判別する（ステップＳ４２）。なお、所定時間は予め設定されており、例えば５分等、泣いている鑑賞者がＬＣＤパネル６に表示される泣く子供用画像を鑑賞しても泣き止まないと判別できる長さに設定される。
【００３４】
ステップＳ４２において所定時間経過していないと判別された場合には（ステップＳ４２、Ｎｏ）、ＣＰＵ３０は、ステップＳ４１の処理に戻る。一方、ステップＳ４２において所定時間経過したと判別された場合には（ステップＳ４２、Ｙｅｓ）、ＣＰＵ３０は、鑑賞者がＬＣＤパネル６に表示される泣く子供用画像を鑑賞しても泣き止まないと判断し、時間の計測を終了する（ステップＳ４３）。具体的には、バッファメモリ等に一時的に記憶されている日時を削除する。そして、ＣＰＵ３０は、電力供給制御部３２において、ＤＰＦ２への電力供給を停止、即ちＤＰＦ２の電源を自動的（強制的）にオフする（ステップＳ４４）。また、ステップＳ４１において鑑賞者が泣いていない、即ち泣き止んだと判別された場合には（ステップＳ４１、Ｎｏ）、ＣＰＵ３０は、鑑賞者がＬＣＤパネル６に表示される泣く子供用画像を鑑賞したことにより泣き止んだと判断し、鑑賞者が泣き始めたから泣き終わるまでの時間の計測を終了する（ステップＳ４５）。
【００３５】
なお、図７に示す処理においては、鑑賞者が泣き始めてから泣き終わるまでの時間が所定時間以上の場合にＤＰＦ２の電源を自動的にオフしているが、例えば鑑賞者が３歳以下等、分別のない年齢である場合にＤＰＦ２の電源を自動的にオフすることもできる。即ち、鑑賞者が登録情報記録部５４に記録されている登録者の一人である場合には、ＣＰＵ３０は、登録情報記録部５４に記録されている鑑賞者の年齢から３歳以下であるか否かを判別する。また、鑑賞者が登録情報記録部５４に記録されていない場合には、ＣＰＵ３０は、年齢推定部４０において推定された鑑賞者の年齢から３歳以下であるか否かを判別する。そして、３歳以下であると判別された場合には、ＣＰＵ３０は、鑑賞者が分別のない年齢であり、ＤＰＦ２を倒す等して壊すおそれがあると判断し、鑑賞者の目に付かないようにするために、電力供給制御部３２においてＤＰＦ２への電力供給を停止する。
【００３６】
次に、図８に示すフローチャートを参照して、図５のステップＳ１８において鑑賞者が泣いていると判別され、ステップＳ１９において泣く子供用画像を表示した後、且つステップＳ２１においてＤＰＦ２の電源がオフされたか否かの判別の前に実行される他の処理について説明する。なお、ステップＳ５０〜Ｓ５３、Ｓ５５の処理は、図７に示すステップＳ４０〜Ｓ４３、Ｓ４５の処理と同一のため、説明を省略する。
【００３７】
ＣＰＵ３０は、ステップＳ５３において時間の計測を終了した後、鑑賞者がＬＣＤパネル６に表示されている泣く子供用画像を鑑賞しても泣き止まないと判断し、他の異なる画像をＬＣＤパネル６に表示する（ステップＳ５４）。具体的には、「泣く子供用」に分類されている他の画像ファイルまたは他のフォルダを読込み、読み込んだ他の画像ファイルまたは他のフォルダ内の画像ファイルに基づく画像（泣く子供用画像）を、表示制御部５８を介してＬＣＤパネル６に再生表示する。
【００３８】
また、ステップＳ５５において時間の計測を終了した後、ＣＰＵ３０は、鑑賞者が泣き始めてから泣き終わるまでの間にＬＣＤパネル６に表示された表示画像を、所定時間経過する前に鑑賞者を泣き止ませることができた画像であると評価する（ステップＳ５６）。具体的には、表示画像の画像ファイルに対して、所定時間経過する前に鑑賞者を泣き止ませることができた画像であることを示す１カウントを追加する。
【００３９】
次に、ＣＰＵ３０は、ステップＳ５６における評価結果に基づいて、ＬＣＤパネル６に表示される表示画像に関するランキング情報を生成し、生成されたランキング情報とＬＣＤパネル６に表示される表示画像とを関連付けて管理する（ステップＳ５７）。具体的には、ＣＰＵ３０は、ステップＳ５６において表示画像に追加された１カウントを、その表示画像に対して過去に追加されたカウント数に加え（即ち、過去にカウント数＋１カウント）、例えば図９に示すように、関連情報記録部５２に記録されるテーブル内の「泣く子供用」に分類されている表示画像の画像ファイルに加えたカウント数を付加することによりランキング情報を生成する。
【００４０】
即ち、図９に示す画像ファイルα．ｂｍｐに付加されているｃｏｕｎｔ：１５という情報は、画像ファイルα．ｂｍｐが所定時間経過する前に鑑賞者を泣き止ませることができた画像ファイルであると１５回評価されたことを示している。同様に、画像ファイルβ．ｂｍｐは０回、画像ファイルγ．ｂｍｐは７回、フォルダαは１４回、フォルダβ．ｂｍｐは１回、フォルダγは８回評価されたことを示しており、ＣＰＵ３０は、これら画像ファイルやフォルダに付加されている情報に基づいてランキング情報を生成する。即ち、図９では、ＣＰＵ３０は、１位：画像ファイルα．ｂｍｐ、２位：画像ファイルγ．ｂｍｐ、３位：画像ファイルβ．ｂｍｐというランキング情報を生成する。同様に、１位：フォルダα、２位：フォルダγ．ｂｍｐ、３位：フォルダβというランキング情報を生成する。そして、ＣＰＵ３０は、生成したランキング情報を、「泣く子供用」に分類されているファイルやフォルダと関連付けて管理する。
【００４１】
なお、図９では、フォルダを評価し、フォルダに対してカウント追加しているが、フォルダ内の画像ファイルを評価し、フォルダ内の画像ファイルに対してカウント追加するようにしてもよい。また、フォルダ及びフォルダ内の画像ファイルを評価し、フォルダ及びフォルダ内の画像ファイルに対してカウント追加するようにしてもよい。
【００４２】
このように、ランキング情報が生成され、管理されると、図５に示すステップＳ１９において泣く子供用画像をＬＣＤパネル６に表示する際、ＣＰＵ３０は、管理されているランキング情報に基づいて、ＬＣＤパネル６に表示する画像を制御する。具体的には、まず、ＣＰＵ３０は、１位にランキングされている画像ファイルまたはフォルダ（図９では、画像ファイルα．ｂｍｐまたはフォルダα）を読込み、読み込んだ画像ファイルまたはフォルダ内の画像ファイルに基づく画像をＬＣＤパネル６に表示する。そして、図８に示すステップＳ５３において時間の計測を終了した後、鑑賞者が１位にランキングされている画像を鑑賞しても泣き止まないと判断し、ステップＳ５４において他の泣く子供用画像をＬＣＤパネル６に表示する際、ＣＰＵ３０は、２位にランキングされている画像ファイルまたはフォルダ（図９では、画像ファイルγ．ｂｍｐまたはフォルダγ）を読込み、読み込んだ画像ファイルまたはフォルダ内の画像ファイルに基づく画像をＬＣＤパネル６に表示する。
【００４３】
なお、上述の実施の形態では、内部メモリ４６内の画像記録部４８に記録されている画像データを、「子供用」「泣く子供用」「大人用」に分類して内部メモリ４６内の関連情報記録部５２に記録しているが、メモリカードスロット１６に挿入されるメモリカード（図示せず）やＵＢＳポート２０に接続されている記録媒体（図示せず）等に記録されている画像データを、「子供用」「泣く子供用」「大人用」に分類して関連情報記録部５２に記録してもよい。また、メモリカードや他の記録媒体等内に関連情報記録部５２と同様の関連情報記録部を設けてもよい。また、図２に示すサーバ６４に格納されている画像データを、インターネット６２及びネットワーク端子２２を介して、ネットワーク接続部４４においてダウンロードし、ダウンロードした画像データを、「子供用」「泣く子供用」「大人用」に分類して関連情報記録部５２にテーブル形式で記録してもよい。
【００４４】
また、サーバ６４内に関連情報記録部５２と同様の関連情報記録部を設け、ＣＰＵ３０は、ネットワーク接続部４４を介してランキング情報を送信し、サーバ６４によりＤＰＦ２等から送信されるランキング情報に基づき管理されるランキングに基づいてサーバ６４から送信される画像データを受信し、受信した画像データの画像をＬＣＤパネル６に表示することもできる。以下、図１０に示すフローチャートを参照して、図５のステップＳ１８において鑑賞者が泣いていると判別され、ステップＳ１９において泣く子供用画像（サーバ６４から送信される画像データの画像）を表示した後、且つステップＳ２１においてＤＰＦ２の電源がオフされたか否かの判別の前に実行される他の処理について説明する。なお、ステップＳ６０〜Ｓ６３、Ｓ６５、Ｓ６６の処理は、図８に示すステップＳ５０〜Ｓ５３、Ｓ５５、Ｓ５６の処理と同一のため、説明を省略する。
【００４５】
ＣＰＵ３０は、ステップＳ６３において時間の計測を終了した後、鑑賞者がＬＣＤパネル６に表示されている泣く子供用画像（サーバ６４から送信される画像データの画像）を鑑賞しても泣き止まないと判断し、サーバ６４に対して他の画像データを送信するよう指示する。そして、ＣＰＵ３０は、ネットワーク接続部４４において、サーバ６４から送信される他の画像データを受信し、受信した他の画像データの画像をＬＣＤパネル６に表示する（ステップＳ６４）。
【００４６】
具体的には、「泣く子供用」に分類されている画像ファイルに対応する画像データを、サーバ６４からダウンロードし、ダウンロードした画像データの画像（泣く子供用画像）を、表示制御部５８を介してＬＣＤパネル６に再生表示する。または、「泣く子供用」に分類されている複数の画像ファイルに対応する複数の画像データを予めダウンロードしておき、図示しないバッファメモリ等に一時的に記憶させておき、バッファメモリから画像データを順次読み込むようにしてもよい。
【００４７】
また、ＣＰＵ３０は、ステップＳ６６における評価結果に基づいて、ＬＣＤパネル６に表示される表示画像に関するランキング情報を生成し、生成されたランキング情報をサーバ６４に対して送信する（ステップＳ６７）。サーバ６４は、ＤＰＦ２や他の再生装置から送信されたランキング情報を、サーバ６４に格納されている画像データと関連付けて管理する。なお、サーバ６４においてＤＰＦ２や他の再生装置から送信されたすべてのランキング情報に基づいたランキングを管理してもよく、特定の地域から送信されたランキング情報に基づいた特定の地域のランキング、特定のグループから送信されたランキング情報に基づいた特定のグループのランキング等を管理する構成にしてもよい。
【００４８】
このように、ＤＰＦ２においてランキング情報が生成され、サーバ６４においてランキングが管理されると、図５に示すステップＳ１９において泣く子供用画像をＬＣＤパネル６に表示する際、サーバ６４は、管理しているランキングに基づいてＤＰＦ２に対して画像データを送信し、ＣＰＵ３０は、サーバ６４から受信した画像データの画像をＬＣＤパネル６に表示する。具体的には、まず、サーバ６４は、１位にランキングされている画像データをＤＰＦ２に対して送信し、ＤＰＦ２（ＣＰＵ３０）は、サーバ６４から送信された画像データの画像をＬＣＤパネル６に表示する。そして、図１０に示すステップＳ６３において時間の計測を終了した後、鑑賞者が１位にランキングされている画像を鑑賞しても泣き止まないと判断し、ステップＳ６４において他の泣く子供用画像をＬＣＤパネル６に表示する際、ＤＰＦ２（ＣＰＵ３０）は、他の画像データを送信するようサーバ６４に対して指示し、サーバ６４は、２位にランキングされている画像データをＤＰＦ２に対して送信し、ＤＰＦ２（ＣＰＵ３０）は、サーバから送信された画像データの画像をＬＣＤパネル６に表示する。
【００４９】
なお、図１０に示す処理においては、ＤＰＦ２がランキング情報を生成し、サーバ６４に対してランキング情報を送信しているが、サーバ６４がランキング情報を生成する構成にしてもよい。この場合には、ＤＰＦ２（ＣＰＵ３０）は、ＬＣＤパネル６に表示された表示画像に対する評価結果（カウント結果）をサーバ６４に対して送信し、サーバ６４は、ＤＰＦ２から送信された評価結果に基づいてランキング情報を生成し、生成したランキング情報に基づくランキングの管理を行う。また、図１０に示す処理においては、ＤＰＦ２がＬＣＤパネル６に表示された表示画像に対する評価（カウント追加）を行っているが、サーバ６４がＬＣＤパネル６に表示された表示画像に対する評価（カウント追加）を行う構成にしてもよい。この場合には、ＤＰＦ２（ＣＰＵ３０）は、鑑賞者が泣き始めてから泣き終わるまでの時間の計測結果をサーバ６４に対して送信し、サーバ６４は、ＤＰＦ２から送信された時間計測結果に基づいて表示画像に対する評価（カウント追加）を行い、評価結果に基づいてランキング情報を生成し、生成したランキング情報に基づくランキングの管理を行う。
【００５０】
この実施の形態に係るＤＰＦ２によれば、鑑賞者の年齢や鑑賞者が泣いているか否かに応じて、ＬＣＤパネル６に表示する画像を表示制御することができる。即ち、鑑賞者が子供である場合には、子供の好む画像をＬＣＤパネル６に表示することができる。また、鑑賞者が子供であると判別され、且つ泣いていると判別された場合には、泣いている子供を泣き止ませるのに効果的な画像をＬＣＤパネル６に表示することができる。また、子供の鑑賞者の顔画像等を登録し、定期的に顔画像の自動更新を行うため、成長することにより顔が変化した場合においても鑑賞者と登録者との類似度判定を正確に実行することができる。
【００５１】
なお、上述の実施の形態においては、鑑賞者が泣き始めてから泣き終わるまでの時間の長短にかかわらず、ＬＣＤパネル６に表示された表示画像を同様に評価しているが、鑑賞者が泣き始めてから泣き終わるまでの時間の長さに基づいて、表示画像の評価度合いを変化させてもよい。例えば、３０秒で鑑賞者が泣き止んだ画像については、３分で鑑賞者が泣き止んだ画像より高く評価する。具体的には、３０秒で鑑賞者が泣き止んだ画像の画像ファイルに対して３カウント、１分で鑑賞者が泣き止んだ画像の画像ファイルに対して２カウント、３分で鑑賞者が泣き止んだ画像の画像ファイルに対して１カウント追加する。したがって、生成されるランキング情報に基づくランキングについても、短時間で鑑賞者が泣き止んだ画像の画像ファイルの順位が高くなる。
【００５２】
また、上述の実施の形態においては、内部メモリ４６に記録されている画像データを表示する場合と、サーバ６４からダウンロードされる画像データを表示する場合とについて説明したが、これらを組み合わせた構成にすることもできる。具体的には、内部メモリ４６に記録されているランキング上位の画像データの画像をすべて表示した後に、サーバ６４からダウンロードするランキング上位の画像データの画像を表示する。または、サーバ６４からダウンロードするランキング上位の画像データの画像をすべて表示した後に、内部メモリ４６に記録されているランキング上位の画像データの画像を表示する。
【００５３】
また、上述の実施の形態においては、鑑賞者が誰であってもＬＣＤパネル６に表示される画像は同じであるが、例えば登録情報記録部５４に記録される登録情報に、登録者のお気に入りの画像ファイルを含め、鑑賞者が登録者の一人であると判別された際に、その鑑賞者のお気に入りの画像ファイルを読込み、読み込んだ画像ファイルの画像をＬＣＤパネル６に表示する構成にすることもできる。例えば、登録者の母の画像等を登録者の登録情報に含め、鑑賞者が登録者であると判別された際に、その鑑賞者の母の画像を表示することができる。また、この場合において、登録者のお気に入りの画像ファイルを評価し、評価結果に基づいて登録者個人のランキング情報を生成し、登録者個人のランキング情報とＬＣＤパネル６に表示された画像データとを関連付けて登録者個人のランキングを管理してもよい。この場合には、鑑賞者（登録者）が泣いていると判別されたとき、まず、登録者の母の画像等、登録者が泣き止む確率が高い画像をＬＣＤパネル６に表示する。そして、登録者個人のお気に入りの画像、即ち内部メモリ４６に記録されている画像データの画像をすべて表示しても登録者が泣き止まないとき、サーバ６４からダウンロードするランキング順位の高い画像をＬＣＤパネル６に表示する。
【００５４】
また、登録者個人のお気に入りの画像、ランキング情報及びランキング管理結果等を設ける場合において、登録者の成長や流行によりお気に入りの画像やランキングが変化するであろうことから、例えば１年毎等、所定期間毎のランキング情報を生成し、所定期間毎のランキングを管理するようにしてもよい。また、これら所定期間毎のランキング情報や、所定期間毎のランキング管理結果を内部メモリ４６等に記録しておいてもよい。この場合には、後にこれら過去のランキング情報やランキング管理結果を閲覧した際に、登録者の幼少時のお気に入りの画像を再認識することができる等、登録者や登録者の家族にとっての思い出にすることができる。
【００５５】
また、上述の実施の形態においては、関連情報記録部５２においてランキング情報を記録し、ランキング情報と画像記録部４８に記録されている画像データとを関連付けて管理しているが、画像記録部４８に記録されている画像データにランキング情報を所定の形式（例えば、Ｅｘｉｆ等）で付加し、管理する構成にしてもよい。
【００５６】
また、上述の実施の形態においては、マイク８から入力される音声に基づいて鑑賞者が泣いているか否かを判別しているが、顔画像検出部３８により検出される顔画像に基づいて鑑賞者が泣いているか否かを判別してもよい。例えば、周知の笑顔測定等に用いられる技術を用いて顔画像から鑑賞者が泣いているか否かを判別する。
【００５７】
また、上述の実施の形態においては、ＣＰＵ３０が鑑賞者の年齢等に基づいてＬＣＤパネル６による画像の表示を制御する構成を例に挙げて説明したが、ＣＰＵ３０が鑑賞者の年齢等に基づいてスピーカ１２による音声や音楽の再生を制御する構成についても本発明を適用することができる。
【００５８】
また、上述の実施の形態においては、本発明の再生装置としてＤＰＦを例に挙げて説明したが、他の再生装置においても本発明を適用することができる。
【符号の説明】
【００５９】
２…ＤＰＦ（デジタルフォトフレーム）、６…ＬＣＤパネル、８…マイク、１０…カメラ、１２…スピーカ、１４…電源スイッチ、１６…操作キー、２２…ネットワーク端子、３０…ＣＰＵ、３２…電力供給制御部、３４…登録情報更新部、３６…類似度判定部、３８…顔画像検出部、４０…年齢推定部、４２…泣き声判定部、４４…ネットワーク接続部、４６…内部メモリ、５２…関連情報記録部、５４…登録情報記録部、６４…サーバ。
【図１】
2011228878.tif 000003
【図２】
2011228878.tif 000004
【図３】
2011228878.tif 000005
【図４】
2011228878.tif 000006
【図５】
2011228878.tif 000007
【図６】
2011228878.tif 000008
【図７】
2011228878.tif 000009
【図８】
2011228878.tif 000010
【図９】
2011228878.tif 000011
【図１０】
2011228878.tif 000012